(57)【要約】【課題】フラットケーブルにおけるクロストークノイズをより確実に抑制できるインクジェットプリンタを提供する。【解決手段】  本発明に係るインクジェットプリンタは、インクヘッド４０と、ヘッド制御装置１１４と、第１〜第３フラットケーブル２１０〜２３０とを備える。第１〜第３フラットケーブル２１０〜２３０は、インクヘッド４０とヘッド制御装置１１４とを接続し、第１フラットケーブル２１０と第３フラットケーブル２３０との間に第２フラットケーブル２２０を挟むように重ねて配置される。第１フラットケーブル２１０には電源供給部１１５ａが接続され、第２フラットケーブル２２０には電源グラウンド帰還部１１６が接続され、第３フラットケーブル２３０には信号送信部１１７ａが接続される。【選択図】図４
2020049798.tif 000002
【特許請求の範囲】
【請求項１】
電源が接続される電源受容部と、電源グラウンドが接続される電源グラウンド受容部と、制御信号を受信する信号受信部とを備えたインクヘッドと、
前記インクヘッドの電源を供給する電源供給部と、電源グラウンドが接続された電源グラウンド帰還部と、前記制御信号を送信する信号送信部とを備えたヘッド制御装置と、
それぞれが一端に第１制御側端子を備え他端に第１ヘッド側端子を備える複数の第１ケーブルを有し、前記複数の第１ケーブルが平面状に束ねられている第１フラットケーブルと、
それぞれが一端に第２制御側端子を備え他端に第２ヘッド側端子を備える複数の第２ケーブルを有し、前記複数の第２ケーブルが平面状に束ねられている第２フラットケーブルと、
それぞれが一端に第３制御側端子を備え他端に第３ヘッド側端子を備える複数の第３ケーブルを有し、前記複数の第３ケーブルが平面状に束ねられている第３フラットケーブルと、
を備え、
前記第１フラットケーブル、前記第２フラットケーブル、および前記第３フラットケーブルは、前記第１フラットケーブルと前記第３フラットケーブルとの間に前記第２フラットケーブルを挟むように重ねて配置され、
前記電源供給部は、前記複数の第１制御側端子のうちの一部または全部に接続され、
前記電源受容部は、前記複数の第１ヘッド側端子のうち前記第１ケーブルおよび前記第１制御側端子を介して前記電源供給部に接続された第１ヘッド側端子に接続され、
前記電源グラウンド帰還部は、前記複数の第２制御側端子のうちの一部または全部に接続され、
前記電源グラウンド受容部は、前記複数の第２ヘッド側端子のうち前記第２ケーブルおよび前記第２制御側端子を介して前記電源グラウンド帰還部に接続された第２ヘッド側端子に接続され、
前記信号送信部は、前記複数の第３制御側端子のうちの一部または全部に接続され、
前記信号受信部は、前記複数の第３ヘッド側端子のうち前記第３ケーブルおよび前記第３制御側端子を介して前記信号送信部に接続された第３ヘッド側端子に接続されている、
インクジェットプリンタ。
【請求項２】
電源が接続される第２電源受容部と、電源グラウンドが接続される第２電源グラウンド受容部と、第２制御信号を受信する第２信号受信部とを備えた第２インクヘッドを備え、
前記ヘッド制御装置は、前記第２インクヘッドの電源を供給する第２電源供給部と、前記第２制御信号を送信する第２信号送信部とを備え、
前記第２電源供給部は、前記複数の第１制御側端子のうちの一部に接続され、
前記第２電源受容部は、前記複数の第１ヘッド側端子のうち前記第１ケーブルおよび前記第１制御側端子を介して前記第２電源供給部に接続された第１ヘッド側端子に接続され、
前記第２電源グラウンド受容部は、前記複数の第２ヘッド側端子のうち前記電源グラウンド帰還部に接続された第２ヘッド側端子に接続され、
前記第２信号送信部は、前記複数の第３制御側端子のうちの一部に接続され、
前記第２信号受信部は、前記複数の第３ヘッド側端子のうち前記第３ケーブルおよび前記第３制御側端子を介して前記第２信号送信部に接続された第３ヘッド側端子に接続されている、
請求項１に記載のインクジェットプリンタ。
【請求項３】
前記第２電源供給部は、前記複数の第１制御側端子のうち、前記電源供給部に接続された第１ケーブルとは離間した第１ケーブルに接続された第１制御側端子に接続され、
前記電源グラウンド帰還部は、前記複数の第１制御側端子のうち、前記電源供給部に接続された第１ケーブルと前記第２電源供給部に接続された第１ケーブルとの間に位置する第１ケーブルに接続された第１制御側端子に接続されている、
請求項２に記載のインクジェットプリンタ。
【請求項４】
電源が接続される第３電源受容部と、電源グラウンドが接続される第３電源グラウンド受容部と、第３制御信号を受信する第３信号受信部とを備えた第３インクヘッドと、
電源が接続される第４電源受容部と、電源グラウンドが接続される第４電源グラウンド受容部と、第４制御信号を受信する第４信号受信部とを備えた第４インクヘッドと、
を備え、
前記ヘッド制御装置は、前記第３インクヘッドの電源を供給する第３電源供給部と、前記第４インクヘッドの電源を供給する第４電源供給部と、前記第３制御信号を送信する第３信号送信部と、前記第４制御信号を送信する第４信号送信部とを備え、
前記第３電源供給部は、前記複数の第１制御側端子のうちの一部に接続され、
前記第３電源受容部は、前記複数の第１ヘッド側端子のうち前記第１ケーブルおよび前記第１制御側端子を介して前記第３電源供給部に接続された第１ヘッド側端子に接続され、
前記第３電源グラウンド受容部は、前記電源グラウンド帰還部に接続された第２ヘッド側端子に接続され、
前記第３信号送信部は、前記複数の第３制御側端子のうちの一部に接続され、
前記第３信号受信部は、前記複数の第３ヘッド側端子のうち前記第３ケーブルおよび前記第３制御側端子を介して前記第３信号送信部に接続された第３ヘッド側端子に接続され、
前記第４電源供給部は、前記複数の第１制御側端子のうちの一部に接続され、
前記第４電源受容部は、前記複数の第１ヘッド側端子のうち前記第１ケーブルおよび前記第１制御側端子を介して前記第４電源供給部に接続された第１ヘッド側端子に接続され、
前記第４電源グラウンド受容部は、前記電源グラウンド帰還部に接続された第２ヘッド側端子に接続され、
前記第４信号送信部は、前記複数の第３制御側端子のうちの一部に接続され、
前記第４信号受信部は、前記複数の第３ヘッド側端子のうち前記第３ケーブルおよび前記第３制御側端子を介して前記第４信号送信部に接続された第３ヘッド側端子に接続されている、
請求項２または３に記載のインクジェットプリンタ。
【請求項５】
電源が接続される第２電源受容部と、電源グラウンドが接続される第２電源グラウンド受容部と、第２制御信号を受信する第２信号受信部とを備えた第２インクヘッドを備え、
前記ヘッド制御装置は、前記第２制御信号を送信する第２信号送信部を備え、
前記第２電源受容部は、前記複数の第１ヘッド側端子のうち前記電源供給部に接続された第１ヘッド側端子に接続され、
前記第２電源グラウンド受容部は、前記複数の第２ヘッド側端子のうち前記電源グラウンド帰還部に接続された第２ヘッド側端子に接続され、
前記第２信号送信部は、前記複数の第３制御側端子のうちの一部に接続され、
前記第２信号受信部は、前記複数の第３ヘッド側端子のうち前記第３ケーブルおよび前記第３制御側端子を介して前記第２信号送信部に接続された第３ヘッド側端子に接続されている、
請求項１に記載のインクジェットプリンタ。
【請求項６】
前記インクヘッドは、圧電素子を備えたピエゾ駆動式のインクジェットヘッドであり、
前記インクヘッドの電源から、電圧波形を有する前記圧電素子の駆動信号を生成する駆動信号生成装置を備え、
前記電源受容部および前記電源グラウンド受容部は、それぞれ、前記駆動信号生成装置を介して前記第１ヘッド側端子および前記第２ヘッド側端子に接続されている、
請求項１〜５のいずれか一つに記載のインクジェットプリンタ。
【請求項７】
前記インクヘッドは、圧電素子を備えたピエゾ駆動式のインクジェットヘッドであり、
前記ヘッド制御装置は、前記圧電素子を駆動させる電圧波形を前記インクヘッドの電源に与える駆動波形生成部を備えている、
請求項１〜５のいずれか一つに記載のインクジェットプリンタ。
【請求項８】
前記インクヘッドを搭載したキャリッジと、
前記ヘッド制御装置が収納された筐体と、
前記キャリッジを前記筐体に対して移動させるキャリッジ移動機構と、
を備え、
前記第１フラットケーブル、前記第２フラットケーブル、および前記第３フラットケーブルは、前記キャリッジと前記筐体との間に渡されている、
請求項１〜７のいずれか一つに記載のインクジェットプリンタ。
【発明の詳細な説明】
【技術分野】
【０００１】
本発明は、インクジェットプリンタに関する。
【背景技術】
【０００２】
従来から、インクヘッドを備え、インクヘッドからインクを吐出させることによって記録媒体上に画像を形成するインクジェットプリンタが知られている。一般的なインクジェットプリンタでは、インクヘッドは走行するキャリッジに搭載され、キャリッジの移動とともに記録媒体上を移動する。例えば、特許文献１には、ガイドレールに係合されモータによって左右方向に移動されるキャリッジと、キャリッジに搭載された複数のインクヘッドとを備える大型のインクジェットプリンタが開示されている。
【０００３】
例えば特許文献１に示されたような大型のインクジェットプリンタにおいては、インクヘッドは高速かつ広範囲に移動する。このようなインクヘッドに対しても電気的な配線を行うことがもちろん必要であるが、インクヘッドが移動するために、その配線部材には一定の制約が課される。その１つはインクヘッドの動きに柔軟に追随することである。そのためには、曲げ伸ばしが自在なフラットケーブルが適しており、しばしば用いられている。インクヘッドが移動しない、いわゆるラインヘッドのインクジェットプリンタであっても、インクヘッドに対する配線には、取り回しやすく、芯数が多く、安価なフラットケーブルは好適である。しかしながら、フラットケーブルは柔軟性を持つように形成する必要性から、また、複数のケーブルを平面状に束ねた構造から、ノイズが乗りやすいという欠点がある。さらに、複数のインクヘッドを備えたプリンタにあっては、インクヘッドごとに使用されている複数のフラットケーブルを重ねて束ねる必要があり、フラットケーブル同士で互いにノイズを乗せ合うクロストークノイズが発生しやすい。また、電源ラインは出力が高いため、近接する信号ラインにクロストークノイズを乗せやすい。
【０００４】
クロストークノイズを低減するための配線上の対策が従来から知られている。例えば、特許文献２には、信号ライン同士の間にグラウンドラインを挟んで、信号ライン間のクロストークノイズを低減したフラットケーブルを備えたインクジェットプリンタが開示されている。また、特許文献３には、フラットケーブルを複数重ねて使用しつつ、フラットケーブル間のクロストークノイズを低減するインクジェットプリンタが開示されている。特許文献３に開示されたプリンタでは、第１のフラットケーブルと第２のフラットケーブルとを重ねたとき、第１のフラットケーブルの信号ラインと第２のフラットケーブルの複数のグラウンドラインとが対向する。このような配線方法により、特許文献３に開示されたプリンタでは、複数のフラットケーブル間のクロストークノイズを低減している。また、特許文献３に開示されたプリンタは、第１のフラットケーブルの信号ラインと対向する第２のフラットケーブルのグラウンドラインを複数にすることによって、第１のケーブルと第２のケーブルとの位置関係が若干ずれてもクロストークノイズを低減する効果が維持されるように構成されている。
【先行技術文献】
【特許文献】
【０００５】
【特許文献１】特開２０１７−１１９３９７号公報
【特許文献２】特開平１１−４２７７９号公報
【特許文献３】特開２００８−２９０３８７号公報
【発明の概要】
【発明が解決しようとする課題】
【０００６】
特許文献３に開示されているような方法によって、フラットケーブル間のクロストークノイズの発生は抑えられ、また、隣接するフラットケーブル同士の相対位置が若干ずれた場合でも、そのシールド効果は維持される。しかし、例えば、移動するインクヘッドなどに対してフラットケーブルが使用された場合、フラットケーブルの撓みによるフラットケーブル間の位置のずれが、ケーブル数本分の幅を大きく超えることも考えられる。そのような場合には、フラットケーブル間のクロストークノイズの低減効果が減少するおそれがある。
【０００７】
本発明はかかる点に鑑みてなされたものであり、その目的は、フラットケーブルにおけるクロストークノイズの発生をより確実に抑制できるインクジェットプリンタを提供することである。
【課題を解決するための手段】
【０００８】
本発明に係るインクジェットプリンタは、インクヘッドと、ヘッド制御装置と、第１フラットケーブルと、第２フラットケーブルと、第３フラットケーブルと、を備える。前記インクヘッドは、電源が接続される電源受容部と、電源グラウンドが接続される電源グラウンド受容部と、制御信号を受信する信号受信部とを備えている。前記ヘッド制御装置は、前記インクヘッドの電源を供給する電源供給部と、電源グラウンドが接続された電源グラウンド帰還部と、前記制御信号を送信する信号送信部とを備えている。前記第１フラットケーブルは、それぞれが一端に第１制御側端子を備え他端に第１ヘッド側端子を有する複数の第１ケーブルを有し、前記複数の第１ケーブルが平面状に束ねられている。第２フラットケーブルは、それぞれが一端に第２制御側端子を備え他端に第２ヘッド側端子を備える複数の第２ケーブルを有し、前記複数の第２ケーブルが平面状に束ねられている。前記第３フラットケーブルは、それぞれが一端に第３制御側端子を備え他端に第３ヘッド側端子を備える複数の第３ケーブルを有し、前記複数の第３ケーブルが平面状に束ねられている。前記第１フラットケーブル、前記第２フラットケーブル、および前記第３フラットケーブルは、前記第１フラットケーブルと前記第３フラットケーブルとの間に前記第２フラットケーブルを挟むように重ねて配置されている。前記電源供給部は、前記複数の第１制御側端子のうちの一部または全部に接続されている。前記電源受容部は、前記複数の第１ヘッド側端子のうち前記第１ケーブルおよび前記第１制御側端子を介して前記電源供給部に接続された第１ヘッド側端子に接続されている。前記電源グラウンド帰還部は、前記複数の第２制御側端子のうちの一部または全部に接続されている。前記電源グラウンド受容部は、前記複数の第２ヘッド側端子のうち前記第２ケーブルおよび前記第２制御側端子を介して前記電源グラウンド帰還部に接続された第２ヘッド側端子に接続されている。前記信号送信部は、前記複数の第３制御側端子のうちの一部または全部に接続されている。前記信号受信部は、前記複数の第３ヘッド側端子のうち前記第３ケーブルおよび前記第３制御側端子を介して前記信号送信部に接続された第３ヘッド側端子に接続されている。
【０００９】
上記インクジェットプリンタによれば、電源ラインが接続されている第１フラットケーブルと制御信号ラインが接続されている第３フラットケーブルとの間に電源グラウンドラインが接続された第２フラットケーブルが挟まれているため、第２フラットケーブルがシールドの役目を果たし、制御信号ラインに電源ラインからのノイズが乗りにくい。さらに、上記インクジェットプリンタによれば、第２フラットケーブルと第１、第３フラットケーブルとの間の位置関係がずれた場合でも、第２フラットケーブルは第１フラットケーブルと第３フラットケーブルとの間を面でシールドしているため、シールド機能が低下しにくい。そこで、上記インクジェットプリンタによれば、フラットケーブルにおけるクロストークノイズの発生をより確実に抑制できる。
【図面の簡単な説明】
【００１０】
【図１】一実施形態に係るインクジェットプリンタの正面図である。
【図２】キャリッジ下面の構成を示す模式図である。
【図３】第１インクヘッドのノズル近傍の部分断面図である。
【図４】プリンタのブロック図である。
【図５】第１〜第３フラットケーブル、メイン基板、ヘッド駆動基板、およびインクヘッドの接続を模式的に示した図である。
【図６】メイン基板とヘッド駆動基板とを繋ぐフラットケーブルの配線方法を示す模式図であって、従来の配線方法を示す図である。
【図７】メイン基板とヘッド駆動基板とを繋ぐフラットケーブルの配線方法を示す模式図であって、一実施形態に係る配線方法を示す図である。
【図８】メイン基板とヘッド駆動基板とを繋ぐフラットケーブルの配線方法を示す模式図であって、他の実施形態に係る配線方法を示す図である。
【発明を実施するための形態】
【００１１】
以下、図面を参照しながら、いくつかの実施形態に係るインクジェットプリンタについて説明する。なお、ここで説明される実施形態は、当然ながら特に本発明を限定することを意図したものではない。また、同じ作用を奏する部材、部位には同じ符号を付し、重複する説明は適宜省略または簡略化する。以下の説明では、インクジェットプリンタを正面から見たときに、インクジェットプリンタから遠ざかる方を前方、インクジェットプリンタに近づく方を後方とする。また、図面中の符号Ｙは主走査方向を示し、符号Ｘは主走査方向Ｙと直交する副走査方向Ｘを示している。また、図面中の符号Ｆ、Ｒｒ、Ｌ、Ｒ、Ｕ、Ｄは、それぞれ前、後、左、右、上、下を表している。ただし、これらは説明の便宜上の方向に過ぎず、インクジェットプリンタの設置態様等を限定するものではない。
【００１２】
図１は、一実施形態に係る大判のインクジェットプリンタ（以下、「プリンタ」とする。）１０の正面図である。プリンタ１０は、ロール状の記録媒体５を順次前方に移動させるとともに、主走査方向Ｙに移動するキャリッジ２５に搭載された複数のインクヘッド４０〜７０（図２参照）からインクを吐出することによって、記録媒体５上に画像を印刷する。
【００１３】
記録媒体５は、画像が印刷される対象物である。記録媒体５は特に限定されない。記録媒体５は、例えば、普通紙やインクジェット用印刷紙等の紙類であってもよいし、樹脂製やガラス製などの透明なシートであってもよいし、金属製やゴム製等のシートであってもよい。また、布帛であってもよい。
【００１４】
図１に示すように、プリンタ１０は、プリンタ本体１０ａと、プリンタ本体１０ａを支持する脚１１とを備えている。プリンタ本体１０ａは、主走査方向Ｙに延びている。プリンタ本体１０ａは、ガイドレール２１と、ガイドレール２１に係合したキャリッジ２５とを備えている。ガイドレール２１は、主走査方向Ｙに延びている。ガイドレール２１は、キャリッジ２５の主走査方向Ｙへの移動をガイドする。キャリッジ２５には無端状のベルト２２が固定されている。ベルト２２は、ガイドレール２１の右側に設けられたプーリ２３ａおよび左側に設けられたプーリ２３ｂに巻き掛けられている。右側のプーリ２３ａにはキャリッジモータ２４が取り付けられている。キャリッジモータ２４は、制御装置１００（図４参照）と電気的に接続されている。キャリッジモータ２４は、制御装置１００によって制御される。キャリッジモータ２４が駆動するとプーリ２３ａが回転し、ベルト２２が走行する。それにより、キャリッジ２５がガイドレール２１に沿って主走査方向Ｙに移動する。このように、キャリッジ２５が主走査方向Ｙに移動することによって、インクヘッド４０〜７０も主走査方向Ｙに移動する。本実施形態では、ベルト２２とプーリ２３ａとプーリ２３ｂとキャリッジモータ２４とが、キャリッジ２５およびキャリッジ２５に搭載された複数のインクヘッド４０〜７０を主走査方向Ｙに移動させるキャリッジ移動機構２０の一例である。
【００１５】
キャリッジ２５の下方には、プラテン１２が配置されている。プラテン１２は、主走査方向Ｙに延びている。プラテン１２には記録媒体５が載置される。プラテン１２の上方には、記録媒体５を上から押下するピンチローラ３１が設けられている。ピンチローラ３１は、キャリッジ２５より後方に配置されている。プラテン１２には、グリットローラ３２が設けられている。グリットローラ３２は、ピンチローラ３１の下方に配置されている。グリットローラ３２は、ピンチローラ３１と対向する位置に設けられている。グリットローラ３２は、フィードモータ３３に連結されている。グリットローラ３２は、フィードモータ３３の駆動力を受けて回転可能に形成されている。フィードモータ３３は、制御装置１００と電気的に接続されている。フィードモータ３３は、制御装置１００によって制御される。ピンチローラ３１とグリットローラ３２との間に記録媒体５が挟まれた状態でグリットローラ３２が回転すると、記録媒体５は副走査方向Ｘに搬送される。本実施形態では、ピンチローラ３１とグリットローラ３２とフィードモータ３３とが、記録媒体５を副走査方向Ｘに移動させる搬送機構３０の一例である。
【００１６】
図２は、キャリッジ２５の記録媒体５と対向する側の面（本実施形態では下面）の構成を示す模式図である。図２に示すように、キャリッジ２５の下面には、第１インクヘッド４０、第２インクヘッド５０、第３インクヘッド６０、および第４インクヘッド７０の４つのインクヘッドが保持されている。キャリッジ２５において、第１インクヘッド４０〜第４インクヘッド７０は主走査方向Ｙに並んで配置されている。第１インクヘッド４０、〜第４インクヘッド７０は、それぞれ、図示しないインク供給路によって、図示しないインクカートリッジと連通されている。インクカートリッジは、例えば、プリンタ本体１０ａの右端部に着脱可能に配置されている。第１インクヘッド４０〜第４インクヘッド７０の４つのインクヘッドは、それぞれ、接続されたインクカートリッジ内のインクを吐出する。複数のインクカートリッジには、ＣＭＹＫ他のプロセスカラーインクや特色インクなどが貯留されている。複数のインクヘッド４０〜７０からは、すべて別のインクが吐出されてもよいし、一部同じインクが吐出されてもよい。インクヘッド４０〜７０から吐出されるインクの種類は限定されない。また、インクの材料も何ら限定されず、従来からインクジェットプリンタのインクの材料として用いられている各種の材料を使用することができる。上記インクは、例えば、ソルベント系（溶剤系）顔料インクや水性顔料インクであってもよいし、水性染料インク、あるいは、紫外線を受けて硬化する紫外線硬化型顔料インク等であってもよい。
【００１７】
第１インクヘッド４０〜第４インクヘッド７０は、それぞれ、副走査方向Ｘに並んだ複数のノズルを有している。図２に示すように、例えば、第１インクヘッド４０は、副走査方向Ｘに並んだ複数のノズル４１を有している。複数のノズル４１は、副走査方向Ｘに一列に並んでノズル列を構成している。ノズル４１は、インクが吐出される微細な孔である。なお、図２において、インクヘッド４０〜７０には、それぞれ１０個のノズルが図示されているが、実際にはさらに多数（例えば３００個）のノズルが形成されている。ただし、ノズルの個数は何ら限定されるわけではない。また、１つのインクヘッドが有するノズル列の数も１列に限定されず、１つのインクヘッドは複数のノズル列を有していてもよい。
【００１８】
第１インクヘッド４０〜第４インクヘッド７０の内部には、それぞれ、圧電素子を備えたアクチュエータが設けられている。図３は、第１インクヘッド４０のノズル４１近傍の部分断面図である。図３に示されるように、アクチュエータ４２は、ノズル４１ごとに設けられている。各アクチュエータ４２が駆動することによって、各ノズル４１はインクを吐出する。
【００１９】
図３に示されるように、アクチュエータ４２は、開口４２ｃを有する中空のケース４２ａと、開口４２ｃを塞ぐようにケース４２ａに取り付けられた振動板４２ｄとを備えている。振動板４２ｄはケース４２ａと共に、インクが貯留される圧力室４２ｂを区画している。振動板４２ｄは、圧力室４２ｂの一部を仕切っている。振動板４２ｄは、圧力室４２ｂの内側および外側に弾性変形可能な部材である。振動板４２ｄは、圧力室４２ｂの容積を増加および減少させるように変形可能に構成されている。振動板４２ｄは、典型的には樹脂フィルムである。
【００２０】
ケース４２ａの側壁には、インクが流入するインク流入口４２ｅが形成されている。なお、インク流入口４２ｅは圧力室４２ｂとつながっていればよく、インク流入口４２ｅの位置は何ら限定されない。圧力室４２ｂには、インク流入口４２ｅを通じてインクが供給され、インクが貯留される。ノズル４１は、ケース４２ａの下面に形成されている。ノズル４１は、圧力室４２ｂと連通している。
【００２１】
振動板４２ｄの圧力室４２ｂ側と反対側の面には、圧電素子４２ｆが当接している。圧電素子４２ｆの一部は、固定部材４２ｇに固定されている。本実施形態において、圧電素子４２ｆは、圧電材料と導電層とを交互に積層した積層体である。圧電素子４２ｆは、駆動信号を受けると膨張または収縮し、振動板４２ｄを圧力室４２ｂの外側または内側に弾性変形させるように機能する。ここでは、縦振動モードのピエゾ素子（ＰＺＴ）を採用している。縦振動モードのＰＺＴは、上記積層方向に伸縮自在であり、例えば放電すると収縮し、充電すると伸長するようになっている。ただし、圧電素子４２ｆの形式は特に限定されない。
【００２２】
このような構成のインクヘッド４０では、圧電素子４２ｆの電位を基準電位から下降させることによって、圧電素子４２ｆが収縮する。すると、これに追従して振動板４２ｄが初期位置から圧力室４２ｂの外側に弾性変形し、圧力室４２ｂが膨張する。なお、圧力室４２ｂが膨張するとは、振動板４２ｄの変形により圧力室４２ｂの容積が大きくなることをいう。次いで、圧電素子４２ｆの電位を上昇させることによって、圧電素子４２ｆが積層方向に伸長する。これにより、振動板４２ｄが圧力室４２ｂの内側に弾性変形し、圧力室４２ｂが収縮する。なお、圧力室４２ｂが収縮するとは、振動板４２ｄの変形により圧力室４２ｂの容積が小さくなることをいう。このような圧力室４２ｂの膨張および収縮により、圧力室４２ｂ内の圧力が変動する。この圧力室４２ｂ内の圧力変動によって、圧力室４２ｂ内のインクが加圧され、インク滴となってノズル４１から吐出される。その後、圧電素子４２ｆの電位を基準電位に戻すことにより、振動板４２ｄが初期位置に復帰して、圧力室４２ｂが膨張する。このとき、インク流入口４２ｅから圧力室４２ｂ内にインクが流入する。
【００２３】
図１に示すように、プリンタ１０は、ヒータ３５を備えている。ヒータ３５は、プラテン１２の下方に設けられている。ヒータ３５は、グリットローラ３２より前方に配置されている。ヒータ３５は、プラテン１２を加熱する。プラテン１２が加熱されることによって、プラテン１２上に配置されている記録媒体５および記録媒体５に着弾したインクが加熱され、インクの乾燥が促進される。ヒータ３５は、制御装置１００に電気的に接続されている。ヒータ３５の加熱温度は、制御装置１００によって制御される。
【００２４】
キャリッジ２５には、複数のインクヘッド４０〜７０の他に、ヘッド駆動基板１２０が搭載されている。図４は、本実施形態に係るプリンタ１０のブロック図である。図１、図４に示されるように、ヘッド駆動基板１２０は、プリンタ本体１０ａに搭載されたメイン基板１１０と電気的に接続されている。メイン基板１１０は、ヘッド制御部１１４を備えている。ヘッド制御部１１４は、ヘッド駆動基板１２０に接続されている。ヘッド制御部１１４は、ヘッド駆動基板１２０を介してインクヘッド４０〜７０に駆動電力を供給するとともに、動作を制御している。ヘッド制御部１１４は、第１〜第４電源供給部１１５ａ〜１１５ｄと、電源グラウンド帰還部１１６と、第１〜第４信号送信部１１７ａ〜１１７ｄとを備えている。第１電源供給部１１５ａ〜第４電源供給部１１５ｄは、それぞれ第１インクヘッド４０〜第４インクヘッド７０に電源を供給する。上記電源の電源仕様は、例えば、それぞれＤＣ２４Ｖである。電源グラウンド帰還部１１６には、第１電源供給部１１５ａ〜第４電源供給部１１５ｄが流した電流が帰還する。電源グラウンド帰還部１１６は、筐体グラウンドＧに接続されている。第１〜第４信号送信部１１７ａ〜１１７ｄは、それぞれ第１インクヘッド４０〜第４インクヘッド７０の動作を制御する制御信号を送信する。
【００２５】
メイン基板１１０とヘッド駆動基板１２０とは３本のフラットケーブル２１０、２２０、および２３０によって接続されている。このフラットケーブル２１０〜２３０によるメイン基板１１０とヘッド駆動基板１２０との接続の詳細については後述する。メイン基板１１０には、さらに、外部コンピュータ１０１、プリンタ本体１０ａに設けられた操作パネル１０２（図１も参照）が電気的に接続され、それら全体が制御装置１００を構成している。メイン基板１１０は、フィードモータ３３、キャリッジモータ２４、ヒータ３５とそれぞれ通信可能に接続されており、それらを制御可能に構成されている。
【００２６】
ヘッド駆動基板１２０には、第１インクヘッド４０〜第４インクヘッド７０が接続されている。ヘッド駆動基板１２０は、第１インクヘッド４０〜第４インクヘッド７０の動作を制御している。ヘッド駆動基板１２０は、駆動信号生成部１２８を備えている。駆動信号生成部１２８は、メイン基板１１０から供給される電源から、インクヘッド４０〜７０のアクチュエータ（より詳しくは、圧電素子）を駆動させる駆動信号を生成している。駆動信号生成部１２８で生成される駆動信号は、複数の駆動パルスが合成された電圧波形を有している。インクヘッド４０〜７０内部の圧電素子は、この駆動信号を受けて膨張・収縮し、ノズルからインクを吐出させる。この波形によって、例えば各ノズルから吐出されるインクのサイズが決定される。また、ヘッド駆動基板１２０は、メイン基板１１０の指令に基づいて、インクヘッド４０〜７０に対してインクの吐出を指令する信号その他の制御信号を送信する。
【００２７】
本実施形態においては、制御装置１００は、外部コンピュータ１０１、操作パネル１０２、メイン基板１１０、ヘッド駆動基板１２０などから構成されているが、制御装置１００のハードウェア構成はそれに限られない。制御装置１００は、例えば、ホストコンピュータ等の外部機器から印刷データ等を受信するインターフェイス（Ｉ／Ｆ）と、制御プログラムの命令を実行する中央演算処理装置（ＣＰＵ：central processing unit）と、ＣＰＵが実行するプログラムを格納したＲＯＭ（read only memory）と、プログラムを展開するワーキングエリアとして使用されるＲＡＭ（random access memory）と、上記プログラムや各種データを格納するメモリ等の記憶装置とを備えている。制御装置１００の各部は、プロセッサであってもよいし、回路であってもよい。
【００２８】
制御装置１００は、キャリッジ移動機構２０を制御することによってキャリッジ２５を主走査方向Ｙに走査させるとともに、インクヘッド４０〜７０のノズルからインクを吐出させることによって記録媒体５に印刷を実行する。制御装置１００は、キャリッジモータ２４の駆動を制御するとともに、インクの吐出タイミングを制御する。１つの印刷位置で印刷が完了すると、制御装置１００は、フィードモータ３３を駆動させて、記録媒体５を前方に送り出す。記録媒体５上の１つの印刷位置に対する印刷は、キャリッジ２５の１回または複数回の走査によって完成される。
【００２９】
（配線の詳細）
以下では、メイン基板１１０、ヘッド駆動基板１２０を中心とする電気的な配線について詳述する。前述したように、メイン基板１１０とヘッド駆動基板１２０とは、３本のフラットケーブル２１０、２２０、および２３０（以下では適宜、第１フラットケーブル２１０、第２フラットケーブル２２０、および第３フラットケーブル２３０と呼称）によって電気的に接続されている。図５は、第１〜第３フラットケーブル２１０〜２３０、メイン基板１１０、ヘッド駆動基板１２０、およびインクヘッド４０〜７０の接続を模式的に示した図である。図５に示されるように、メイン基板１１０は、第１コネクタ１１１と、第２コネクタ１１２と、第３コネクタ１１３とを備えている。図５では分離した状態で図示しているが、プリンタ１０では、第１コネクタ１１１には、第１フラットケーブル２１０が接続されている。同様に、第２コネクタ１１２には第２フラットケーブル２２０が接続されている。第３コネクタ１１３には第３フラットケーブル２３０が接続されている。
【００３０】
図５に示されるように、第１フラットケーブル２１０〜第３フラットケーブル２３０は、それぞれ、複数のケーブルが平面状に束ねられた多芯ケーブルである。第１フラットケーブル２１０は、複数の第１ケーブル２１１によって構成されている。第２フラットケーブル２２０は、複数の第２ケーブル２２１によって構成されている。第３フラットケーブル２３０は、複数の第３ケーブル２３１によって構成されている。ただし、これらの名称は部材を機能上区別するための名称であって、本実施形態では、第１フラットケーブル２１０〜第３フラットケーブル２３０は同じフラットケーブルである。従って、第１ケーブル２１１〜第３ケーブル２３１は同じケーブルである。各フラットケーブル２１０〜２３０において、複数のケーブルは平行に走っている。第１フラットケーブル２１０〜第３フラットケーブル２３０の長さは、それぞれ、例えば３メートル程度である。
【００３１】
なお、図５では、フラットケーブル２１０〜２３０には、それぞれ１０本のケーブルが図示されているが、実際にはもっと多数であってもよい。図５では、１０本に省略して図示している。後述するが、本実施形態では、フラットケーブル２１０〜２３０のケーブルの数は各４０本である。ただし、フラットケーブル２１０〜２３０がそれぞれ備えるケーブルの数は、特に限定されるわけではない。
【００３２】
第１フラットケーブル２１０〜第３フラットケーブル２３０は、両端にコネクタを備えている。詳しくは、第１フラットケーブル２１０は、メイン基板１１０との接続用として第１制御側コネクタ２１２を、ヘッド駆動基板１２０との接続用として第１ヘッド側コネクタ２１３を備えている。第２フラットケーブル２２０は、メイン基板１１０との接続用として第２制御側コネクタ２２２を、ヘッド駆動基板１２０との接続用として第２ヘッド側コネクタ２２３を備えている。第３フラットケーブル２３０は、メイン基板１１０との接続用として第３制御側コネクタ２３２を、ヘッド駆動基板１２０との接続用として第３ヘッド側コネクタ２３３を備えている。第１制御側コネクタ２１２は、第１ケーブル２１１と同数の第１制御側端子２１２ａを有し、第１制御側端子２１２ａは各１本の第１ケーブル２１１と接続されている。第１ヘッド側コネクタ２１３は、第１ケーブル２１１と同数の第１ヘッド側端子２１３ａを有し、第１ヘッド側端子２１３ａは各１本の第１ケーブル２１１と接続されている。同様に、第２制御側コネクタ２２２は、第２ケーブル２２１と同数の第２制御側端子２２２ａを有し、第２制御側端子２２２ａは各１本の第２ケーブル２２１と接続されている。第２ヘッド側コネクタ２２３は、第２ケーブル２２１と同数の第２ヘッド側端子２２３ａを有し、第２ヘッド側端子２２３ａは各１本の第２ケーブル２２１と接続されている。また、第３制御側コネクタ２３２は、第３ケーブル２３１と同数の第３制御側端子２３２ａを有し、第３制御側端子２３２ａは各１本の第３ケーブル２３１と接続されている。第３ヘッド側コネクタ２３３は、第３ケーブル２３１と同数の第３ヘッド側端子２３３ａを有し、第３ヘッド側端子２３３ａは各１本の第３ケーブル２３１と接続されている。本実施形態では、各フラットケーブル２１０〜２３０の両端の端子およびコネクタは同じものである。しかし、各フラットケーブル２１０〜２３０の両端の端子およびコネクタは同じものである必要は必ずしもなく、異なるものであってもよい。
【００３３】
図５に示すように、第１フラットケーブル２１０〜第３フラットケーブル２３０は、曲げ伸ばし自在に形成されている。第１フラットケーブル２１０〜第３フラットケーブル２３０は、曲げ伸ばし可能な柔軟性を備えている。印刷時などには、プリンタ本体１０ａとキャリッジ２５とはキャリッジ移動機構２０によって相対的に位置を変えるため、プリンタ本体１０ａとキャリッジ２５との間を渡す配線部材には、曲げ伸ばし自在なフラットケーブルが好適に利用されている。第１フラットケーブル２１０〜第３フラットケーブル２３０は、上記した柔軟性を保つために、また安価に製作するために、各ケーブルの被覆を薄く形成しており、また、シールド等の処理はされていない。第１フラットケーブル２１０〜第３フラットケーブル２３０は、キャリッジ２５が移動する際に他の部材に絡まる等の不具合を防止するため、重ね合わせて束ねられている。より詳しくは、３本のフラットケーブルの２１０〜２３０は、第１フラットケーブル２１０、第２フラットケーブル２２０、第３フラットケーブル２３０の順に重ねられ、束ねられている。第２フラットケーブル２２０は、第１フラットケーブル２１０と第３フラットケーブル２３０との間に挟まれている。
【００３４】
図５に示すように、第１フラットケーブル２１０〜第３フラットケーブル２３０のヘッド側コネクタ２１３〜２３３は、ヘッド駆動基板１２０に接続されている。ヘッド駆動基板１２０は、第１入力側コネクタ１２１、第２入力側コネクタ１２２、第３入力側コネクタ１２３を備えている。第１フラットケーブル２１０の第１ヘッド側コネクタ２１３は、第１入力側コネクタ１２１に接続されている。第２フラットケーブル２２０の第２ヘッド側コネクタ２２３は、第２入力側コネクタ１２２に接続されている。第３フラットケーブル２３０の第３ヘッド側コネクタ２３３は、第３入力側コネクタ１２３に接続されている。
【００３５】
ヘッド駆動基板１２０は、さらに第１出力側コネクタ１２４、第２出力側コネクタ１２５、第３出力側コネクタ１２６、第４出力側コネクタ１２７を備えている。第１出力側コネクタ１２４、第２出力側コネクタ１２５、第３出力側コネクタ１２６、および第４出力側コネクタ１２７は、それぞれ、第１インクヘッド４０、第２インクヘッド５０、第３インクヘッド６０、および第４インクヘッド７０に駆動信号および制御信号を送信するためのコネクタである。第１インクヘッド４０、第２インクヘッド５０、第３インクヘッド６０、および第４インクヘッド７０は、それぞれ、電源接続部、電源グラウンド接続部、信号接続部を備えている。詳しくは、図５に示すように、第１インクヘッド４０は、電源接続部４３、電源グラウンド接続部４４、および信号接続部４５を備えている。電源接続部４３、電源グラウンド接続部４４、および信号接続部４５は、例えば、それぞれ端子である。同様に、第２インクヘッド５０は、電源接続部５３、電源グラウンド接続部５４、および信号接続部５５を備えている。第３インクヘッド６０は、電源接続部６３、電源グラウンド接続部６４、および信号接続部６５を備えている。第４インクヘッド７０は、電源接続部７３、電源グラウンド接続部７４、および信号接続部７５を備えている。第１インクヘッド４０においては、電源接続部４３、電源グラウンド接続部４４、および信号接続部４５は、コネクタ４６に集約されている。第２インクヘッド５０においては、電源接続部５３、電源グラウンド接続部５４、および信号接続部５５は、コネクタ５６に集約されている。第３インクヘッド６０においては、電源接続部６３、電源グラウンド接続部６４、および信号接続部６５は、コネクタ６６に集約されている。第４インクヘッド７０においては、電源接続部７３、電源グラウンド接続部７４、および信号接続部７５は、コネクタ７６に集約されている。
【００３６】
ヘッド駆動基板１２０の第１出力側コネクタ１２４と、第１インクヘッド４０のコネクタ４６とは、第１ヘッド用フラットケーブル４７で接続されている。ヘッド駆動基板１２０の第２出力側コネクタ１２５と、第２インクヘッド５０のコネクタ５６とは、第２ヘッド用フラットケーブル５７で接続されている。ヘッド駆動基板１２０の第３出力側コネクタ１２６と、第３インクヘッド６０のコネクタ６６とは、第３ヘッド用フラットケーブル６７で接続されている。ヘッド駆動基板１２０の第４出力側コネクタ１２７と、第４インクヘッド７０のコネクタ７６とは、第４ヘッド用フラットケーブル７７で接続されている。
【００３７】
上記した配線を図４において見ると、第１フラットケーブル２１０は、メイン基板１１０に構成された第１〜第４電源ラインＬｅ１〜Ｌｅ４に接続され、ヘッド駆動基板１２０に対して、それぞれインクヘッド４０〜７０を駆動させる駆動電力を供給している。第１電源ラインＬｅ１は、第１電源供給部１１５ａが供給する電源のラインであり、第１インクヘッド４０を駆動させる。同様に、第２電源ラインＬｅ２は、第２電源供給部１１５ｂが供給する電源のラインであり、第２インクヘッド５０を駆動させる。第３電源ラインＬｅ３は、第３電源供給部１１５ｃが供給する電源のラインであり、第３インクヘッド６０を駆動させる。第４電源ラインＬｅ４は、第４電源供給部１１５ｄが供給する電源のラインであり、第４インクヘッド７０を駆動させる。電源ラインＬｅ１〜Ｌｅ４は、第１フラットケーブル２１０に接続される際に、それぞれ複数の第１ケーブル２１１に分岐される。これは、各第１ケーブル２１１に流れる最大電流が、第１ケーブル２１１の許容電流値以内になるようにするためである。従って、第１フラットケーブル２１０において使用される第１ケーブル２１１の本数は、各第１ケーブル２１１に流れる最大電流が上記許容電流値以内となる本数であれば足り、必ずしも全数使用される必要はない。
【００３８】
第２フラットケーブル２２０には、第１〜第４電源グラウンドラインＬｇ１〜Ｌｇ４が接続されている。第１電源グラウンドラインＬｇ１は、第１電源ラインＬｅ１と繋がっている。第１電源グラウンドラインＬｇ１は、第１電源ラインＬｅ１が流した電流が還流してくるラインである。同様に、第２電源グラウンドラインＬｇ２は、第２電源ラインＬｅ２と繋がっており、第２電源ラインＬｅ２が流した電流が還流してくるラインである。第３電源グラウンドラインＬｇ３は、第３電源ラインＬｅ３と繋がっており、第３電源ラインＬｅ３が流した電流が還流してくるラインである。第４電源グラウンドラインＬｇ４は、第４電源ラインＬｅ４と繋がっており、第４電源ラインＬｅ４が流した電流が還流してくるラインである。第１電源グラウンドラインＬｇ１〜第４電源グラウンドラインＬｇ４は、メイン基板１１０の電源グラウンド帰還部１１６に接続されている。
【００３９】
第３フラットケーブル２３０には、メイン基板１１０に構成された第１〜第４制御信号ラインＬｓ１〜Ｌｓ４が接続されている。第１制御信号ラインＬｓ１は、第１信号送信部１１７ａが送信する制御信号のラインであり、上記制御信号は第１インクヘッド４０を制御する。同様に、第２制御信号ラインＬｓ２は、第２信号送信部１１７ｂが送信する制御信号のラインであり、上記制御信号は第２インクヘッド５０を制御する。第３制御信号ラインＬｓ３は、第３信号送信部１１７ｃが送信する制御信号のラインであり、上記制御信号は第３インクヘッド６０を制御する。第４制御信号ラインＬｓ４は、第４信号送信部１１７ｄが送信する制御信号のラインであり、上記制御信号は第４インクヘッド７０を制御する。
【００４０】
第１制御信号ラインＬｓ１には、メイン基板１１０側から信号が送信される第１信号ラインＬｓ１１と、第１信号ラインＬｓ１１の制御信号が第１インクヘッド４０側から帰還する第１信号グラウンドラインＬｓ１２とが含まれている。第２制御信号ラインＬｓ２には、メイン基板１１０側から信号が送信される第２信号ラインＬｓ２１と、第２信号ラインＬｓ２１の制御信号が第２インクヘッド５０側から帰還する第２信号グラウンドラインＬｓ２２とが含まれている。第３制御信号ラインＬｓ３には、メイン基板１１０側から信号が送信される第３信号ラインＬｓ３１と、第３信号ラインＬｓ３１の制御信号が第３インクヘッド６０側から帰還する第３信号グラウンドラインＬｓ３２とが含まれている。第４制御信号ラインＬｓ４には、メイン基板１１０側から信号が送信される第４信号ラインＬｓ４１と、第４信号ラインＬｓ４１の制御信号が第４インクヘッド７０側から帰還する第４信号グラウンドラインＬｓ４２とが含まれている。第１信号グラウンドラインＬｓ１２〜第４信号グラウンドラインＬｓ４２も、筐体グラウンドＧに接続されている。
【００４１】
第１ヘッド用フラットケーブル４７は、ヘッド駆動基板１２０と第１インクヘッド４０とを接続し、第１インクヘッド４０に駆動信号および制御信号を送信している。第１インクヘッド４０は、電源接続部４３において駆動信号を受容している。受容された駆動信号は、圧電素子４２ｆを振動させ、電源グラウンド接続部４４からヘッド駆動基板１２０に帰還する。この駆動信号は、第１電源ラインＬｅ１によって供給されたＤＣ２４Ｖが、ヘッド駆動基板１２０の駆動信号生成部１２８において、駆動波形を有するように変換されたものである。電源接続部４３および電源グラウンド接続部４４は、ヘッド駆動基板１２０の駆動信号生成部１２８を介して、それぞれ第１電源ラインＬｅ１および第１電源グラウンドラインＬｇ１に接続されている。第１インクヘッド４０の動作を制御する各種制御信号は、信号接続部４５を介して受信されている。同様に、第２ヘッド用フラットケーブル５７は、ヘッド駆動基板１２０と第２インクヘッド５０とを接続し、第２インクヘッド５０に駆動信号および制御信号を送信している。第２インクヘッド５０は、電源接続部５３および電源グラウンド接続部５４によって駆動信号を受容し、信号接続部５５によって各種の制御信号を受信している。第３インクヘッド６０、第４インクヘッド７０についても同様である。
【００４２】
（従来の配線方法）
上記したような本実施形態に係るプリンタ１０におけるインクヘッド４０〜７０の配線方法に対し、従来の配線方法では、メイン基板１１０とヘッド駆動基板１２０とを繋ぐ１つのフラットケーブルには、１つのインクヘッドに係る電源ライン、電源グラウンドライン、および制御信号ラインが接続されていた。即ち、メイン基板とヘッド駆動基板とを接続するフラットケーブルは、インクヘッドごとに用意されていた。図６は、メイン基板とヘッド駆動基板とを繋ぐフラットケーブルの配線方法を示す模式図であって、従来の配線方法を示す図である。図６に示されるように、従来の配線方法では、メイン基板とヘッド駆動基板とは、インクヘッドの数と同じ４本のフラットケーブル２１０ａ、２２０ａ、２３０ａ、および２４０ａによって接続されている。図６では、各フラットケーブル２１０ａ〜２４０ａ内部における配線が分かるように、フラットケーブル２１０ａ、２２０ａ、２３０ａ、および２４０ａを横方向に並べて図示している。実際には、複数のフラットケーブル２１０ａ〜２４０ａは、この順に重ねられ、束ねられている。図６の上下方向は、フラットケーブル２１０ａ〜２４０ａの幅方向である。図６の左右方向は、フラットケーブル２１０ａ〜２４０ａの伸長方向である。また、符号２１１ａ〜２４１ａで示した枠は、各フラットケーブルを構成するケーブルを表している。以下では便宜上、本実施形態の場合と同様に、フラットケーブル２１０ａ〜２４０ａをそれぞれ、第１フラットケーブル２１０ａ〜第４フラットケーブル２４０ａと称し、第１フラットケーブル２１０ａ〜第４フラットケーブル２４０ａを構成するケーブルをそれぞれ、第１ケーブル２１１ａ〜第４ケーブル２４１ａと称する。第１フラットケーブル２１０ａ〜第４フラットケーブル２４０ａは、それぞれ４０本の第１ケーブル２１１ａ〜第４ケーブル２４１ａで構成されている。
【００４３】
図６に示すように、従来の配線方法では、第１フラットケーブル２１０ａに、第１電源ラインＬｅ１、第１電源グラウンドラインＬｇ１、第１信号ラインＬｓ１１、および第１信号グラウンドラインＬｓ１２が接続されている。第１電源ラインＬｅ１、第１電源グラウンドラインＬｇ１、第１信号ラインＬｓ１１、および第１信号グラウンドラインＬｓ１２は、第１インクヘッド４０を駆動・制御する信号に係るラインである。同様に、第２フラットケーブル２２０ａには、第２電源ラインＬｅ２、第２電源グラウンドラインＬｇ２、第２信号ラインＬｓ２１、および第２信号グラウンドラインＬｓ２２が接続されている。第３フラットケーブル２３０ａには、第３電源ラインＬｅ３、第３電源グラウンドラインＬｇ３、第３信号ラインＬｓ３１、および第３信号グラウンドラインＬｓ３２が接続されている。第４フラットケーブル２４０ａには、第４電源ラインＬｅ４、第４電源グラウンドラインＬｇ４、第４信号ラインＬｓ４１、および第４信号グラウンドラインＬｓ４２が接続されている。
【００４４】
図６では、第１電源ラインＬｅ１〜第４電源ラインＬｅ４が接続されているケーブルには共通の第１のハッチングを施し、第１電源グラウンドラインＬｇ１〜第４電源グラウンドラインＬｇ４が接続されているケーブルには共通の第２のハッチングを施している。また、第１信号ラインＬｓ１１〜第４信号ラインＬｓ４１が接続されているケーブルには共通の第３のハッチングを施し、第１信号グラウンドラインＬｓ１２〜第４信号グラウンドラインＬｓ４２が接続されているケーブルには共通の第４のハッチングを施している。
【００４５】
従来の配線方法では、第１フラットケーブル２１０ａ〜第４フラットケーブル２４０ａの配線は、互いにクロストークノイズを乗せ合いにくいように配線されている。前述したように、プリンタ本体１０ａとキャリッジ２５との間に渡される複数のフラットケーブルは、互いに重ね合わせて束ねられている。さらに、フラットケーブル自身も耐ノイズ性に優れるようには構成されておらず、フラットケーブルが束ねられている状況は、フラットケーブル同士で互いにクロストークノイズを乗せ合いやすい状況である。図６に示されるように、第１フラットケーブル２１０ａの第１ケーブル２１１ａには、図６の上から、８本の第１電源ラインＬｅ１と８本の電源グラウンドラインＬｇ２とが交互に接続されている。以下の図６に関する説明においては、上、下、左、右は、図６の紙面の上、下、左、右を意味する。上記第１電源ラインＬｅ１と第１電源グラウンドラインＬｇ１との交互配置においては、第１電源ラインＬｅ１が第１電源グラウンドラインＬｇ１よりも上に配置されている。
【００４６】
第１電源ラインＬｅ１および第１電源グラウンドラインＬｇ１が接続された１６本の第１ケーブル２１１の下には、第１信号グラウンドラインＬｓ１２が接続された１本の第１ケーブル２１１が配置されている。さらに、その下の第１ケーブル２１１には、５本の第１信号ラインＬｓ１１と、５本の第１信号グラウンドラインＬｓ１２とが交互に接続されている。上記第１信号ラインＬｓ１１と第１信号グラウンドラインＬｓ１２との交互配置においては、第１信号ラインＬｓ１１が第１信号グラウンドラインＬｓ１２よりも上に配置されている。
【００４７】
上記のような第１信号ラインＬｓ１１と第１信号グラウンドラインＬｓ１２との交互配置は、複数の第１信号ラインＬｓ１１同士が互いにクロストークノイズを乗せ合うことを防ぐためのものである。図６に示される配線方法では、第１信号ラインＬｓ１１と第１信号ラインＬｓ１１との間には信号グラウンドラインＬｓ１２が挿入され、クロストークノイズを抑制している。信号グラウンドラインＬｓ１２は、筐体グラウンドＧに接続されており、電磁ノイズに対しては、シールドの役目を果たす。複数の第１信号ラインＬｓ１１同士の間のクロストークノイズは、信号グラウンドラインＬｓ１２のシールド効果によって回避されている。なお、第１電源ラインＬｅ１のエリアと、第１制御信号ラインＬｓ１のエリアとの間に配置された１本の第１信号グラウンドラインＬｓ１２は、第１電源ラインＬｅ１と第１制御信号ラインＬｓ１とを遮断し、第１電源ラインＬｅ１と第１信号ラインＬｓ１１との間でクロストークノイズが発生することを防ぐためのものである。
【００４８】
図６に示されるように、第２フラットケーブル２２０ａの配線においては、第２電源ラインＬｅ２と第２電源グラウンドラインＬｇ２との交互配置の順番、および、第２信号ラインＬｓ２１と第２信号グラウンドラインＬｓ２２との交互配置の順番が、第１フラットケーブル２１０ａの場合と逆転している。即ち、第２フラットケーブル２２０ａでは、第２電源ラインＬｅ２と第２電源グラウンドラインＬｇ２との交互配置において、第２電源グラウンドラインＬｇ２が第２電源ラインＬｅ２よりも上に配置されている。また、第２信号ラインＬｓ２１と第２信号グラウンドラインＬｓ２２との交互配置において、第２信号グラウンドラインＬｓ２２が第２信号ラインＬｓ２１よりも上に配置されている。
【００４９】
上記のように、電源ラインと電源グラウンドラインとの交互配置の順番が第１フラットケーブル２１０ａと第２フラットケーブル２２０ａとの間で逆転していることにより、第１フラットケーブル２１０ａにおける第１電源ラインＬｅ１の右には、第２フラットケーブル２２０ａにおける第２電源グラウンドラインＬｇ２が位置する。図６の左右方向は、実際の配線では、第１フラットケーブル２１０ａと第２フラットケーブル２２０ａとの重なり方向である。また、第１フラットケーブル２１０ａにおける第１電源グラウンドラインＬｇ１の右には、第２フラットケーブル２２０ａにおける第２電源ラインＬｅ２が位置する。つまり、第１電源ラインＬｅ１が接続された第１ケーブル２１１ａと、第２電源ラインＬｅ２が接続された第２ケーブル２２１ａとは、第１フラットケーブル２１０ａと第２フラットケーブル２２０ａとの重なり方向において隣接しないように配線されている。従って、第１電源ラインＬｅ１が接続された第１ケーブル２１１ａと、第２電源ラインＬｅ２が接続された第２ケーブル２２１ａとの間のクロストークノイズは回避されている。この原理は、第１信号ラインＬｓ１１が接続された第１ケーブル２１１ａと、第２信号ラインＬｓ２１が接続された第２ケーブル２２１ａとの間についても同様である。
【００５０】
第２フラットケーブル２２０ａと第３フラットケーブル２３０ａとの関係、および第３フラットケーブル２３０ａと第４フラットケーブル２４０ａとの関係も、第１フラットケーブル２１０ａと第２フラットケーブル２２０ａとの関係と同様である。従って、第３フラットケーブル２３０ａには、第１フラットケーブル２１０ａと同様の配線が実施される。第４フラットケーブル２４０ａには、第２フラットケーブル２２０ａと同様の配線が実施される。
【００５１】
なお、図６においては４つの電源グラウンドラインＬｇ１〜Ｌｇ４を区別していたが、電源グラウンドラインは全て筐体グラウンドＧに落とされており、電位的にはすべて同じである。電源グラウンドがどこで分岐または合流するかは、ケーブルの許容電流値を守る限りで任意である。例えば、４つの電源グラウンドラインＬｇ１〜Ｌｇ４は、第１〜第４インクヘッド４０〜７０からそれぞれ帰還する際に一度合流していてもよく、その後ケーブルの許容電流値を守るために、第１〜第４フラットケーブル２１０ａ〜２４０ａの手前で分岐されたものであってもよい。
【００５２】
上記のように、従来の配線方法では、電源ラインと信号ライン、異なる電源ライン同士、および異なる信号ライン同士を、フラットケーブルの幅方向においても重なり方向においても隣接させないように配線することでクロストークノイズ対策を行っている。しかし、このような配線は複雑であり、設計または製作を煩雑にする。また、例えば本実施形態のように、移動するキャリッジに搭載されたインクヘッドに対して複数のフラットケーブルで配線を行う場合、フラットケーブルの束は、キャリッジの移動によって大きく曲げ伸ばしされる。フラットケーブルの束がこのように撓むと、隣り合うフラットケーブル同士の相対位置がずれ、電源ラインまたは信号ラインとグラウンドラインとが対向しなくなることがありうる。従来の配線方法の中には、第１のフラットケーブルの信号ラインに対向する第２のフラットケーブルのグラウンドラインを複数にして、フラットケーブル同士の位置関係の若干のずれに対応できるようにした配線方法もある。しかし、そのような配線方法によっても、フラットケーブル同士の位置関係に大きなずれが発生すると、シールド機能が低下し、クロストークノイズの抑制機能が低下するおそれがある。
【００５３】
（本実施形態における配線方法の詳細）
上記したような従来の配線方法に対し、本実施形態に係るプリンタ１０の配線方法は、より確実にクロストークノイズを低減でき、さらに、設計または製作が簡易な配線方法である。図７は、メイン基板１１０とヘッド駆動基板１２０とを繋ぐフラットケーブルの配線方法を示す模式図であって、本実施形態に係る配線方法を示す図である。図７の見方は、図６と同様である。また、図７の説明においても、上、下、左、右とは、図７の紙面の上、下、左、右を意味するものとする。図７に示されるように、本実施形態では、第１電源ラインＬｅ１〜第４電源ラインＬｅ４の４つの電源ラインは、第１フラットケーブル２１０にまとめて配線されている。第１フラットケーブル２１０には、筐体グラウンドＧも一部配線されている。また、第１電源グラウンドラインＬｇ１〜第４電源グラウンドラインＬｇ４の４つの電源グラウンドラインは、第２フラットケーブル２２０にまとめて配線されている。第１信号ラインＬｓ１１〜第４信号ラインＬｓ４１、および第１信号グラウンドラインＬｓ１２〜第４信号グラウンドラインＬｓ４２の制御信号ラインは、第３フラットケーブル２３０にまとめて配線されている。
【００５４】
図７に示すように、第１フラットケーブル２１０において、第１電源ラインＬｅ１は、上から８本の第１ケーブル２１１に固めて配置されている。上記８本の第１ケーブル２１１の下の１本の第１ケーブル２１１には、筐体グラウンドＧが接続されている。さらに、上記筐体グラウンドＧの下の８本の第１ケーブル２１１には、第２電源ラインＬｅ２が接続されている。以下同様に、筐体グラウンドＧに接続された１本の第１ケーブル２１１を間に挟みながら、第３電源ラインＬｅ３、第４電源ラインＬｅ４がそれぞれ８本の第１ケーブル２１１に接続されている。
【００５５】
図７に示すように、第２フラットケーブル２２０の第２ケーブル２２１には、上から順に８本ずつ、第１電源グラウンドラインＬｇ１、第２電源グラウンドラインＬｇ２、第３電源グラウンドラインＬｇ３、および第４電源グラウンドラインＬｇ４が接続されている。ただし、これは１つの実施形態に過ぎず、第１〜第４電源グラウンドラインＬｇ１〜Ｌｇ４は第２フラットケーブル２２０よりもインクヘッド側において集約され、特に区別されなくともよい。第２フラットケーブル２２０の残り８本の第２ケーブル２２１にも筐体グラウンドＧが接続されている。これら８本の第２ケーブル２２１にはインクヘッドを駆動させる電流は流れていない。
【００５６】
第３フラットケーブル２３０の第３ケーブル２３１には、上から順に１０本ずつ、第１制御信号ラインＬｓ１、第２制御信号ラインＬｓ２、第３制御信号ラインＬｓ３、第４制御信号ラインＬｓ４が接続されている。それぞれの制御信号ラインの中では、信号ラインと信号グラウンドラインとが交互に配置されている。例えば、第１制御信号ラインＬｓ１においては、一番上の第３ケーブル２３１に第１信号ラインＬｓ１１のうちの１本が接続され、その直下の１本の第３ケーブル２３１には第１信号グラウンドラインＬｓ１２のうちの１本が接続されている。さらにその直下の１本の第３ケーブル２３１には、第１信号ラインＬｓ１１のうちの１本が接続されている。以下同様に、第１信号ラインＬｓ１１と第１信号グラウンドラインＬｓ１２とは交互に配線されている。
【００５７】
上記したような配線によれば、第２フラットケーブル２２０の各第２ケーブル２２１がそれぞれ筐体グラウンドＧに接続されているため、第２フラットケーブル２２０そのものが電磁シールドとなっている。第２フラットケーブル２２０は、第１フラットケーブル２１０と第３フラットケーブル２３０との間に挟まれている。よって、第１フラットケーブル２１０と第３フラットケーブル２３０との間にクロストークノイズが発生しにくい。
【００５８】
また、本実施形態に係るプリンタ１０によれば、キャリッジ２５の移動によって第１フラットケーブル２１０および第３フラットケーブル２３０と第２フラットケーブル２２０との間の位置関係がずれた場合などでも、第１フラットケーブル２１０と第３フラットケーブル２３０との間のシールド機能を維持することができる。第２フラットケーブル２２０は、第１フラットケーブル２１０と第３フラットケーブル２３０との間を面でシールドしている。よって、第１フラットケーブル２１０および第３フラットケーブル２３０と第２フラットケーブル２２０との間の位置関係が大きくずれても、第１フラットケーブル２１０と第３フラットケーブル２３０との間のシールド性を維持できる。このように、本実施形態に係るプリンタ１０によれば、フラットケーブルにおけるクロストークノイズの発生をより確実に抑制することができる。
【００５９】
また、本実施形態では、第１フラットケーブル２１０に配線された電源ラインと、第３フラットケーブル２３０に配線された制御信号ラインとの間では、クロストークノイズを避けるような配線は特に行われていない。これは、第１フラットケーブル２１０と第３フラットケーブル２３０との間に、電磁シールドとしての第２フラットケーブル２２０が挟まれているためである。本実施形態に係るプリンタ１０によれば、第１フラットケーブル２１０と第３フラットケーブル２３０との間でクロストークノイズを考慮する必要がないため、図６のような複雑な配線を実行する必要がない。本実施形態によれば、従来の配線方法によるものに比べてクロストークノイズへの対策が簡易である。
【００６０】
上記した基本的な作用効果に加え、本実施形態に係るプリンタ１０には、いくつかの副次的な作用効果が期待できる。例えば、本実施形態に係るプリンタ１０では、複数のインクヘッド（ここでは第１インクヘッド４０〜第４インクヘッド７０の４つ）に係る電源ライン、複数のインクヘッドに係る電源グラウンドライン、複数のインクヘッドに係る制御信号ラインをそれぞれ１本のフラットケーブルに集約して配線している。このような配線により、メイン基板１１０とヘッド駆動基板１２０との間を繋ぐフラットケーブルの数を節約することができる。特に４ヘッド以上のプリンタでは、従来の配線方法（インクヘッドごとにフラットケーブルを用いる方法）よりもフラットケーブルの数を少なくできる可能性がある。本実施形態はそのような例であり、従来４本だったフラットケーブルの数を３本に削減している。
【００６１】
筐体グラウンドＧは、１つのフラットケーブル内におけるクロストークノイズを避けるためにも利用することができる。図７に示すように、本実施形態では、異なる電源ラインに接続されたケーブル同士の間に筐体グラウンドＧに接続されたケーブルを挿入している。それにより、電源ライン間におけるクロストークノイズの発生を回避している。これは、異なる信号ライン間についても同じであり、異なる信号ライン同士の間に信号グラウンドを挟むことにより、信号ライン間におけるクロストークノイズを回避している。
【００６２】
なお、本実施形態におけるインクヘッドの数、フラットケーブルの数、フラットケーブルのケーブル数などは説明に適した例に過ぎず、特に限定されない。さらには、電源ライン、電源グラウンドライン、制御信号ラインに必要なケーブル数なども特に限定されない。例えば、制御信号ラインに接続されるフラットケーブルの数は、１対の電源ライン用フラットケーブルおよび電源グラウンドライン用フラットケーブルに対して各１本とは限らず、２本以上であってもよい。電源ライン用フラットケーブルおよび電源グラウンドライン用フラットケーブルの数も各１本とは限らず、それぞれ複数であってもよい。また、制御信号ライン用フラットケーブルの数は、電源ライン用フラットケーブルおよび電源グラウンドライン用フラットケーブルの数より多くてもよく、少なくてもよい。
【００６３】
以上、本発明の好適な一実施形態について説明した。しかし、上記の実施形態は例示に過ぎず、本発明は他の種々の形態で実施することができる。
【００６４】
例えば、上記した実施形態では、第１インクヘッド４０〜第４インクヘッド７０の駆動電源は、メイン基板１１０から供給される時点において第１電源ラインＬｅ１〜第４電源ラインＬｅ４に分かれていたが、それに限定されない。第１インクヘッド〜第４インクヘッドの駆動電源は、メイン基板から供給される時点において１つの電源ラインであってもよい。図８は、メイン基板とヘッド駆動基板とを繋ぐフラットケーブルの配線方法を示す模式図であって、本実施形態に係る配線方法を示す図である。図８の見方は、図６および図７と同様であり、図８の説明においても、上、下、左、右とは、図８の紙面の上、下、左、右のことである。図８に示されるように、ここでは、単一の駆動電源ラインＬｅは、第１フラットケーブル２１０ｂにまとめて接続されている。本実施形態では、駆動電源ラインＬｅは、フラットケーブル２１０ｂ〜２３０ｂよりもインクヘッド側で、インクヘッドごとに分岐される。従って、第１フラットケーブル２１０ｂには、全インクヘッドを駆動させる電流が流れる。インクヘッドおよび第１フラットケーブルが従前と同じ場合は、図８のように、使用する第１ケーブル２１１ｂの数は３２本（インクヘッド１つにつき８本×４ヘッド）である。これは、図７において、第１電源ラインＬｅ１〜第４電源ラインＬｅ４が使用した第１ケーブル２１１の合計数と同じである。しかし、図８に示されているように、本実施形態では、異なる電源ライン間に筐体グラウンドＧを挟んでシールドする必要がなく、従って、図７の第１フラットケーブル２１０における筐体グラウンドＧの分だけ、さらに配線を節約することができる。
【００６５】
また、上記した実施形態では、インクヘッド４０〜７０の電源ラインおよび電源グラウンドラインと、メイン基板１１０の電源ラインおよび電源グラウンドラインとは、駆動信号生成部１２８を介して繋がっていた。そこで、第１フラットケーブル２１０および第２フラットケーブルには、駆動波形を有さない直流電圧が印加されていた。しかし、第１フラットケーブルおよび第２フラットケーブルに印加される電圧は、駆動波形を備えるように変換された後の電圧であってもよい。即ち、駆動信号であってもよい。第１フラットケーブルおよび第２フラットケーブルによって供給される電源の形態は限定されない。また、キャリッジ２５には必ずしもヘッド駆動基板１２０に類する部材が設けられている必要はなく、３本のフラットケーブルは、直接インクヘッドに配線されていてもよい。その場合、インクヘッドの駆動波形は、プリンタ本体に設けられたヘッド制御部の駆動波形生成部で生成されてもよいし、インクヘッドに内蔵された駆動信号生成装置で生成されてもよい。
【００６６】
さらに、上記した実施形態では、キャリッジ２５はガイドレール２１に係合し、キャリッジモータ２４の駆動力によって主走査方向Ｙに走行したが、キャリッジ２５は必ずしも主走査方向Ｙに走行しなくともよい。例えば、プリンタ１０は、キャリッジ２５が不動であり、記録媒体５だけが副走査方向Ｘに搬送されるラインヘッド方式のプリンタであってもよい。あるいは、例えば、キャリッジ２５が主走査方向Ｙだけでなく副走査方向Ｘにも走行するように構成されていてもよい。インクヘッドと記録媒体との間の移動は相対的なものであり、インクヘッド、記録媒体のいずれがいずれの方向に動くのかは限定されない。
【００６７】
上記した実施形態では、インクヘッドの駆動方式は圧電素子の変位を利用するピエゾ駆動式であったが、それに限定されない。ここに開示される技術は、ピエゾ駆動式の他にも、サーマル式、各種の連続方式など様々なインクジェット方式のインクヘッドを備えたプリンタに対して適用可能である。
【００６８】
ここに開示される技術は様々なタイプのインクジェットプリンタに適用することができる。上記実施形態で示したロール状の記録媒体５を搬送する、所謂、ロール・トゥー・ロールタイプのプリンタの他、例えばフラットベッドタイプのインクジェットプリンタにも同様に適用することができる。また、プリンタ１０は独立したプリンタとして単独で使用されるものに限定されず、他の装置と組み合わせたものであってもよい。例えば、プリンタ１０は、他の装置に内蔵されていてもよい。
【符号の説明】
【００６９】
１０          プリンタ（インクジェットプリンタ）
１０ａ        プリンタ本体（筐体）
２０          キャリッジ移動機構
２５          キャリッジ
４０          第１インクヘッド
４３          電源接続部（電源受容部）
４４          電源グラウンド接続部（電源グラウンド受容部）
４５          信号接続部（信号受信部）
５０          第２インクヘッド
６０          第３インクヘッド
７０          第４インクヘッド
１１４        ヘッド制御部（ヘッド制御装置）
１１５ａ〜ｄ  第１〜第４電源供給部
１１６        電源グラウンド帰還部
１１７ａ〜ｄ  第１〜第４信号送信部
１２８        駆動信号生成部（駆動信号生成装置）
２１０        第１フラットケーブル
２１１        第１ケーブル
２１２ａ      第１制御側端子
２１３ａ      第１ヘッド側端子
２２０        第２フラットケーブル
２２１        第２ケーブル
２２２ａ      第２制御側端子
２２３ａ      第２ヘッド側端子
２３０        第３フラットケーブル
２３１        第３ケーブル
２３２ａ      第３制御側端子
２３３ａ      第３ヘッド側端子
Ｌｅ１〜４    第１〜第４電源ライン
Ｌｇ１〜４    第１〜第４電源グラウンドライン
Ｌｓ１〜４    第１〜第４制御信号ライン
【図１】
2020049798.tif 000003
【図２】
2020049798.tif 000004
【図３】
2020049798.tif 000005
【図４】
2020049798.tif 000006
【図５】
2020049798.tif 000007
【図６】
2020049798.tif 000008
【図７】
2020049798.tif 000009
【図８】
2020049798.tif 000010